(57)【要約】【課題】不使用時にも適切な位置に格納できる収納式棚を提供すること。【解決手段】収納式棚１は、棚部１０と、開閉可能な収納部９０を構成する前板９６の裏側に取り付けられ、棚部１０が前板９６の裏側に収納される不使用状態と、棚部１０が前板９６の表側に配置される使用状態とを切り替え可能に棚部１０を支持する支持部２０とを備える。支持部２０は、前板９６の上端近傍で前板９６に沿って水平方向に延びる回転軸まわりに棚部１０を回転可能に支持し、棚部１０は、回転軸まわりに回転することで、不使用状態と、使用状態とを切り替え可能であることが好ましい。【選択図】図３
2020151337.tif 000002
【特許請求の範囲】
【請求項１】
棚部と、
開閉可能な収納部を構成する前板の裏側に取り付けられ、前記棚部が前記前板の裏側に収納される不使用状態と、前記棚部が前記前板の表側に配置される使用状態とを切り替え可能に前記棚部を支持する支持部とを備える、収納式棚。
【請求項２】
前記支持部は、前記前板の上端近傍で前記前板に沿って水平方向に延びる回転軸まわりに前記棚部を回転可能に支持し、
前記棚部は、前記回転軸まわりに回転することで、前記不使用状態と、前記使用状態とを切り替え可能である、請求項１に記載の収納式棚。
【請求項３】
前記支持部は、
一方が前記前板の裏面に固定される一対の羽根部と、
前記一方の羽根部に対して他方の羽根部を回転可能に支持する第１回転軸と、
前記他方の羽根部における前記第１回転軸とは反対側の端部に設けられ、前記前板の上端近傍で前記棚部を回転可能に支持する第２回転軸と、を有する、請求項２に記載の収納式棚。
【請求項４】
前記棚部は、前記前板に沿って水平方向に延びる少なくとも一本の竿部を有する物干しハンガーである、請求項１〜３のいずれか１項に記載の収納式棚。
【請求項５】
前記前板の裏側に取り付けられ、前記不使用状態で、前記棚部を前記前板の裏面に抑え付ける抑え部を有する請求項１〜４のいずれか１項に記載の収納式棚。
【発明の詳細な説明】
【技術分野】
【０００１】
本発明は、収納式棚に関する。
【背景技術】
【０００２】
従来、タオルハンガーを家具の前板の上縁に係合させて、着脱可能に取り付けたタオルハンガー装置が知られている（例えば、特許文献１参照）。タオルハンガーは、前板の上縁に形成された溝に差し込んで係止される部分と、前板と平行に延びる棒状のハンガーパイプとにより構成され、不使用時には取り外される。
【先行技術文献】
【特許文献】
【０００３】
【特許文献１】特開２０１０−１７２５４０号公報
【発明の概要】
【発明が解決しようとする課題】
【０００４】
タオルハンガーを使用しない場合、取り外した後に置く場所がないという問題があった。家具の周辺のどこにでも置くことが可能であるが、定位置でないため、使用したいときに近くにないことがある。
【課題を解決するための手段】
【０００５】
本発明は、棚部（例えば、後述の棚部１０）と、開閉可能な収納部（例えば、後述の収納部９０）を構成する前板（例えば、後述の前板９６）の裏側に取り付けられ、前記棚部が前記前板の裏側に収納される不使用状態と、前記棚部が前記前板の表側に配置される使用状態とを切り替え可能に前記棚部を支持する支持部（例えば、後述の支持部２０）とを備える、収納式棚（例えば、後述の収納式棚１）に関する。
【図面の簡単な説明】
【０００６】
【図１】第１実施形態の収納式棚の斜視図である。
【図２】第１実施形態の不使用状態の収納式棚を示す斜視図である。
【図３】第１実施形態の使用状態の収納式棚を示し、図１の反対側から視た斜視図である。
【図４】第２実施形態の不使用状態の収納式棚を示す斜視図である。
【図５】第２実施形態の使用状態の収納式棚を示す斜視図である。
【発明を実施するための形態】
【０００７】
以下、本発明の第１実施形態について図面を参照しながら詳細に説明する。図１は、第１実施形態の収納式棚１の斜視図であり、使用状態の収納式棚１を示す。図１に示すように、収納式棚１は、物品を収納する収納部９０を開閉する前板９６に取り付けられており、例えばタオル８等を掛ける物干しハンガーである。
【０００８】
収納部９０は、例えば、洗面台の下部キャビネット９である。収納部９０は、前方が開口した箱状の戸棚であり、収納部開口部９１と、収納部側面部９２と、収納部背面部９３と、収納部上面部（図示省略）と、を有する。
【０００９】
収納部開口部９１は、下部キャビネット９の正面側が四角く開放されて、内部に向かう奥行きを有する。収納部開口部９１における上部には、左右方向に延びる上枠部材９１１が取り付けられている。
【００１０】
収納部側面部９２は、下部キャビネット９の左右方向に配置され、上下方向に延びる板面である。収納部背面部９３は、下部キャビネット９の奥側の板面で、設置される空間の壁面に対向して配置される。なお、収納部上面部は、収納部９０の内部を説明するために図示を省略しているが、収納部上面部には、例えば洗面台のボウル部が配置される。
【００１１】
収納部９０は、底板９５と、前板９６と有する。底板９５は、上部が開口した箱状の形状を有し、側部に取り付けられたレール９５１（図２参照）が収納部９０の側部に取り付けられたレールをスライドすることで、下部キャビネットの奥側から手前側へ移動可能に配置されている。前板９６は、底板９５の前面に取り付けられ、底板９５が収納部９０に収納された状態で収納部開口部９１を覆う長方形の板面である。前板９６の上面９６ａは、収納部開口部９１の上縁に取り付けられた上枠部材９１１の下面と位置が合わされ、前板９６が閉められた状態では、上枠部材９１１の下面との間には隙間が形成されない。
【００１２】
図２は、不使用状態の収納式棚１を示す斜視図である。不使用状態では、収納式棚１は収納部９０内に収納される。収納式棚１は、前板９６の裏側に取り付けられ、棚部１０と、支持部２０と、抑え部３０と、を有する。収納式棚１は、例えば、金属やプラスチック等、剛性が高く、薄い板状の部材で構成される。板状の部材で構成されると、不使用状態の際に収納部９０内の収納量を圧迫せず、コンパクトである。
【００１３】
棚部１０は、使用状態においては前板９６から水平方向に突出し、タオル８や衣類等を掛けることができる枠状の部材である。棚部１０は、図２に示すように、一方が開口した略コの字形状の枠を、略コの字形状の開口側で前板９６に取り付けて形成される。棚部１０は、複数の竿部１１と、縁部１２と、を有する。
【００１４】
竿部１１は、平坦で細長い板状の部材で構成され、長手方向が底板９５の前板９６の面に沿うように二本配置されている。二本の竿部１１のうち、棚部１０を構成する枠の最も外側に位置する方が外側竿部１１ａであり、外側竿部１１ａに隣接し、その内側に位置する方が内側竿部１１ｂである。内側竿部１１ｂは図１に示すように、使用状態においては前板９６の近くに位置する。竿部１１は、使用状態においては前板９６から水平方向に延びる。
【００１５】
縁部１２は、竿部１１の長手方向の端部を接続する部分であり、竿部１１と同じ部材で構成されている。縁部１２は、竿部１１と連続して棚部１０の略コの字形状の枠を形成しており、一端が竿部１１に接続され、他端が開放端となっている。縁部１２は、外側竿部１１ａの端部から、竿部１１の延びる方向に直交する方向に延びる。
【００１６】
縁部１２は、後述する支持部２０を介して前板９６の裏面へ接続される。支持部２０については、図３を参照して以下に詳細を説明するが、縁部１２の開放端は、円筒状に形成されて縁部側軸筒部２１１となっている。縁部１２の開放端側の面は、一対の羽根部２３のうちの他方側の縁部側羽根部２３２となっている。
【００１７】
図３は、使用状態の収納式棚１を、図１の反対側から視た斜視図である。支持部２０は、前板９６の裏側に取り付けられ、棚部１０を二か所で回転可能に支持するヒンジである。支持部２０は、第１回転軸２１と、第２回転軸２２と、旗蝶番２４及び縁部１２の一部により構成される一対の羽根部２３と、を有する。
【００１８】
図３に示すように、前板９６の裏側には、縁部１２の開放端に隣接して旗蝶番２４が取り付けられる。旗蝶番２４は、四角い板状の旗蝶番側羽根部２３１と、旗蝶番側羽根部２３１の上縁側に配置される円筒状の旗蝶番側軸筒部２１２とを有する。旗蝶番２４は、旗蝶番側羽根部２３１及び旗蝶番側軸筒部２１２が一体に連続して形成された部品である。旗蝶番２４は、縁部１２の開放端から左右方向の中央寄りに配置されている。
【００１９】
第１回転軸２１は、図３に示すように、縁部１２の縁部側軸筒部２１１と、旗蝶番２４の旗蝶番側軸筒部２１２と、これらの縁部側軸筒部２１１及び旗蝶番側軸筒部２１２を挿通するピン（図示省略）により構成される。第１回転軸２１は、ピンが縁部側軸筒部２１１及び旗蝶番側軸筒部２１２の両方を挿通することにより、棚部１０を前板９６の裏面に回転可能に接続する。
【００２０】
縁部側軸筒部２１１は、縁部１２の開放端に配置される円筒状の部分である。縁部側軸筒部２１１は、前板９６の上端から所定距離下方に離れた位置に配置される。所定距離とは、具体的には収納部開口部９１の上縁に設けられた上枠部材９１１の上下方向の寸法を逃げた分の距離である。
【００２１】
旗蝶番側軸筒部２１２は、縁部側軸筒部２１１と同径であり、前板９６の上端から縁部側軸筒部２１１と同じ距離下方に離れた位置に配置される。旗蝶番側軸筒部２１２は、縁部側軸筒部２１１と同軸となるように並ぶ。
【００２２】
一対の羽根部２３は、旗蝶番側羽根部２３１と、縁部側羽根部２３２とを有する。一対の羽根部２３のうち、一方の旗蝶番側羽根部２３１は、旗蝶番側軸筒部２１２と連続して形成されることにより第１回転軸２１に接続され、ネジにより前板９６の裏面に固定される。一対の羽根部２３のうち、他方の縁部側羽根部２３２は、縁部１２の開放端側で、縁部側軸筒部２１１から所定距離延びる板面である。縁部側羽根部２３２は、固定された旗蝶番側羽根部２３１に対して第１回転軸２１により回転可能に支持される。
【００２３】
第２回転軸２２は、縁部１２の延びる方向に沿って第１回転軸２１から離れた位置に配置される。第２回転軸２２は、前板９６の上端から第１回転軸２１までの距離と同じ距離、第１回転軸２１から離れており、縁部側羽根部２３２における第１回転軸２１とは反対側の端部に設けられている。図３に示すように、前板９６の上端には、前板９６の板の厚み分の幅を有する上面９６ａが延びており、第２回転軸２２は、使用状態で前板９６の上端近傍、すなわち前板９６の上面９６ａの内側の角に配置され、前板９６に沿って水平方向に延びる。
【００２４】
第２回転軸２２は、図３に示すように、縁部１２の一部が途中で切断され、切断された一方と他方が平蝶番を構成している。すなわち、縁部１２の切断された端部が凹形状２２１及び凸形状２２２を有しており、凹形状２２１における幅方向外側の二つの頂部及び凸形状２２２の頂部が軸筒部として円筒状に形成される。そして、第２回転軸は、凹形状２２１及び凸形状２２２のそれぞれ頂部に形成された軸筒部と、これらの軸筒部を挿通する円柱状の細いピン（図示省略）とにより構成される。
【００２５】
抑え部３０は、図２に示すように、前板９６の裏側に取り付けられて縁部１２の位置ずれを抑えるピンである。抑え部３０は、取り付け面３１と、抑え面３２と、傾斜面３３とを有する。抑え部３０の材質は問わず、板ばねであってもよいし、弾性変形可能な樹脂であってもよいが、取り付け面３１に対して付勢力が付与される材質又は構成を有すると好ましい。取り付け面３１は、前板９６にネジにより回転可能に取り付けられている。抑え面３２は、取り付け面３１を回転させることで、不使用状態のときに縁部１２の上面に当接するように配置されている。傾斜面３３は、取り付け面３１と抑え面３２とを連結するように傾斜しており、取り付け面３１側の端部から抑え面３２側の端部までの間が、縁部１２の厚さに対応している。
【００２６】
第１実施形態における収納式棚１の使用方法について説明する。図２に示すように、収納式棚１を使用しない不使用状態においては、棚部１０を前板９６の裏面に沿うように畳んで収納している。支持部２０の第１回転軸２１が前板９６の上端から上枠部材９１１の上下方向の寸法の分、下方に離れた位置に配置されているので、第１回転軸２１を回転させて収納式棚１を収納すると、前板９６を閉じている間、収納式棚１は上枠部材９１１に干渉しない。不使用状態では、収納式棚１が収納部９０の開閉時に移動しないように、抑え部３０を回転させて抑え面３２を縁部１２の上に係合させておく。これにより、抑え部３０は、棚部１０を前板９６の裏面に抑え付ける。
【００２７】
不使用状態から使用状態に切り替える場合、まず、収納部９０を開けて、抑え部３０を回転させて抑え面３２を縁部１２の上から外す。そして、棚部１０を持ち上げて縁部１２を上下方向に起立させる。縁部１２を起こすと、前板９６の上面における内側の角に、第２回転軸２２が合うように位置合わせされている。そこで、図３に示すように、縁部１２を第２回転軸２２から折り曲げて水平方向に延ばし、棚部１０を前板９６の表側に配置する。棚部１０は、第２回転軸２２により前板９６の上端近傍で回転可能に支持される。棚部１０が第２回転軸２２の回転軸まわりに回転することで、不使用状態から使用状態への切り替えが完了する。その後、使用状態を維持しつつ、収納部９０を閉じることも可能である。使用状態から不使用状態への切り替えは、上記と逆の手順によって実現される。
【００２８】
図３に示すように、使用状態において、縁部１２における第１回転軸２１から第２回転軸２２までの間は、前板９６を閉めた状態で上枠部材９１１が当接する部分となっている。縁部１２は、薄い板状の部材で構成されているので、上枠部材９１１と当たっても上枠部材９１１と前板９６との間に大きな隙間は形成されない。
【００２９】
棚部１０を前板９６の外側へ突出させた状態で、図１に示すように、収納部９０を閉める。使用状態では、棚部１０の竿部１１にタオル８や小さな衣類を掛けたり、洗面時に眼鏡を仮置きしたりすることができる。
【００３０】
第１実施形態によれば、以下の効果を奏する。第１実施形態では、収納式棚１を、棚部１０と、開閉可能な収納部９０を構成する前板９６の裏側に取り付けられ、棚部１０が前板９６の裏側に収納される不使用状態と、棚部１０が前板９６の表側に配置される使用状態とを切り替え可能に棚部１０を支持する支持部２０と、を含んで構成した。前板９６に対して棚部１０を配置する位置によって使用状態と不使用状態とを変更することができるので、外した棚部１０の取り扱いに困ることがなく、不使用状態においても適切な位置に格納できる。不使用状態においては、外側から視認されないため、下部キャビネット９の外観が良好となる。
【００３１】
また、第１実施形態では、支持部２０を、前板９６の上端近傍で前板９６に沿って水平方向に延びる回転軸まわりに棚部１０を回転可能に支持させ、棚部１０を、回転軸まわりに回転することで、不使用状態と、使用状態とを切り替え可能に構成した。棚部１０を回転させることで、棚部１０を前板９６から外さずに収納式棚１を使用状態と不使用状態を変更することができるので、使用状態と不使用状態の切り替えを容易に行うことができる。
【００３２】
第１実施形態では、支持部２０を、一方が前板９６の裏面に固定される一対の羽根部２３と、一方の旗蝶番側羽根部２３１に対して他方の縁部側羽根部２３２を回転可能に支持する第１回転軸２１と、縁部側羽根部２３２における第１回転軸２１とは反対側の端部に設けられ、前板９６の上端近傍で棚部１０を回転可能に支持する第２回転軸２２と、を含んで構成した。一方の旗蝶番側羽根部２３１を前板９６の裏面に固定し、他方の縁部側羽根部２３２を回転可能に支持する第１回転軸２１と、縁部側羽根部２３２の第１回転軸２１とは反対方向に離れて前板９６の上端近傍で棚部１０を回転可能に支持する第２回転軸２２とを含むことで、不使用状態では収納式棚１を前板９６等に干渉せずに格納することができる。使用状態では第２回転軸２２を前板９６の上面の内側の角に当てて回転させることで、棚部１０を外側へ突出させることができるので、使用状態と不使用状態の切り替えを簡単に行うことができる。
【００３３】
第１実施形態では、棚部１０を、前板９６に沿って水平方向に延びる少なくとも一本の竿部１１を有する物干しハンガーとした。棚部１０が、少なくとも一本の竿部１１を有しているので、タオルや衣類小物を複数掛けることができる。
【００３４】
第１実施形態では、前板９６の裏側に取り付けられ、不使用状態で、前板９６の裏面に抑え付ける抑え部３０を含んで構成した。抑え部３０が前板９６を抑えているので、可動式の収納式棚１が、がたついたり、収納部９０の移動のたびに揺れたりすることを防止することができる。
【００３５】
本発明は上記実施形態に限定されるものではなく、本発明の目的を達成できる範囲での変形、改良等は本発明に含まれる。図４は第２実施形態に係る収納式棚１Ａの不使用状態を示す斜視図であり、図５は収納式棚１Ａの使用状態を示す斜視図である。第２実施形態の説明において、第１実施形態と共通する構成に関する説明は省略する。図４に示すように、第２実施形態では、支持部２０Ａが、一本の軸のみを有している点で第１実施形態と異なる。支持部２０Ａは、前板９６の上端の内面側に接続される。
【００３６】
図５に示すように、第２実施形態では、支持部２０Ａは、縁部１２Ａの基端部２２５及び羽根部２２６を有し、これら縁部１２Ａの基端部２２５及び羽根部２２６によって平蝶番が構成される。基端部２２５は、凹形状に形成され、凹形状の幅方向外側の頂部に二つの軸筒部２２５ａが形成される。羽根部２２６は、平面状の四角い部材であり、前板９６の裏面にネジにより固定される。羽根部２２６は、その幅方向中央部に、縁部１２Ａの２つの軸筒部２２５ａの間にかみ合う軸筒部２２６ａを有する。これら基端部２２５の軸筒部２２５ａ、羽根部２２６の軸筒部２２６ａを円柱状のピンが挿通することで支持部２０Ａが構成される。
【００３７】
第２実施形態の場合、支持部２０Ａが直に前板９６の裏側に接続される、使用状態及び不使用状態のいずれの場合も支持部２０Ａが前板９６の上端近傍に配置されるので、収納部９０の上縁に配置する上枠部材９１１を第１実施形態の場合よりもやや奥側へ後退させて配置することで、縁部１２Ａと上枠部材９１１とが干渉することを防止する。支持部２０Ａと接する上枠部材９１１の表面をゴム等の柔軟な素材で構成してもよい。
【００３８】
第２実施形態によれば、部品点数を低減し、より簡易な構成で第１実施形態と同様の効果を奏することができる。
【００３９】
上記実施形態では、収納部９０を洗面台の下部キャビネットとして説明したが、これに限定されない。キッチンやバスルーム等、収納部を有するところであれば、どのような場所に配置されてもよい。収納部９０が底板９５を有するものとして説明したが、これに限定されない。収納部が底板を有さずに、回転軸が上下方向に延びる観音扉としての前板に収納式棚を設けてもよい。上記実施形態では、竿部１１は、平坦な板状で、二本配置されているが、これに限られない。竿部１１は、少なくとも一本形成されていればよく、一本でもよいし、径の小さな棒状の竿部をより多く配置してもよい。
【００４０】
支持部は、棚の支持構造として、回転可能に支持しなくてもよい。例えば、不使用状態において、支持部は、棚部を引っ掛けて支持する。不使用状態においては、棚部は、実施形態と同様、前板に沿った姿勢で収納されている。使用状態に切り替える場合、棚部を上に引っ張り上げることによって、棚部の下端が前板の上端付近に位置させた後、９０度、回転させることで、前板の表側に配置してもよい。切り替えの過程においては、終始、支持部と棚部との連結は維持される。
【符号の説明】
【００４１】
１      収納式棚
１０    棚部
１１    竿部
２０    支持部
２１    第１回転軸
２２    第２回転軸
２３    一対の羽根部
３０    抑え部
９０    収納部
９６    前板
２３１  旗蝶番側羽根部（一方の羽根部）
２３２  縁部側羽根部（他方の羽根部）
【図１】
2020151337.tif 000003
【図２】
2020151337.tif 000004
【図３】
2020151337.tif 000005
【図４】
2020151337.tif 000006
【図５】
2020151337.tif 000007